(57)【要約】【課題】  排出原稿をステイプルする操作者の操作負担をより軽減できる原稿搬送装置及び画像形成装置を提供することを目的とする。【解決手段】  原稿載置部６２に載置された複数枚の原稿を搬送路に沿って順次搬出し、原稿読取位置を経た後、原稿排出部６５に搬出する原稿搬送装置において、原稿排出部６５に対して所定位置に配置されるステイプラ６５８を備え、原稿排出部６５は、搬送路からの排出原稿を積層して原稿束として受け取る受取手段６５１と、受取手段６５１上を所定側に向けて原稿束を移動させながら移動し、積層された原稿束の所定箇所をステイプル位置にセットする移動手段６５２とを備えたことを特徴とする。【選択図】      図４
2005060081.tif 000002
【特許請求の範囲】
【請求項１】
原稿載置部に載置された複数枚の原稿を搬送路に沿って順次搬出し、原稿読取位置を経た後、原稿排出部に搬出する原稿搬送装置において、
前記原稿排出部に対して所定位置に配置されるステイプラを備え、前記原稿排出部は、前記搬送路からの排出原稿を積層して原稿束として受け取る受取手段と、前記受取手段上を所定側に向けて原稿束を移動させながら移動し、原稿束の所定箇所をステイプル位置にセットする移動手段とを備えたことを特徴とする原稿搬送装置。
【請求項２】
前記受取手段は、移動手段として、幅方向に対向して立設された一対の幅揃え部材を備え、前記幅揃え部材は、原稿束を挟持した状態で受取手段上を所定側に向けて移動し、原稿束の所定箇所をステイプル位置にセットすることを特徴とする請求項１に記載の原稿搬送装置。
【請求項３】
前記ステイプラは、前記受取手段に対して原稿搬出方向下流側に配置され、前記移動手段は、前記受取手段の原稿搬出方向上流位置に設けられ、前記受取手段上の載置原稿束の後端に当接してステイプル位置まで押し出しながら、原稿束を原稿搬送方向で揃える押出部材を備えることを特徴とする請求項１又は２に記載の原稿搬送装置。
【請求項４】
前記受取手段は、原稿排出部に対して着脱自在に取り付けられていることを特徴とする請求項１〜３のいずれかに記載の原稿搬送装置。
【請求項５】
前記ステイプラは、原稿排出部に対して着脱自在に取り付けられていることを特徴とする請求項1〜４のいずれかに記載の原稿搬送装置。
【請求項６】
操作者のステイプルを指示するための操作を受け付ける操作受付手段と、前記受取手段に排出された原稿束をステイプル位置に移動してステイプル処理を行う自動モード、及び前記受取手段に排出された原稿束を、前記操作受付手段が操作を受け付けることを条件に、ステイプル位置に移動し、又は先にステイプル位置に移動しておいてステイプル処理を行う半自動モードの間でモード選択をするモード選択手段とを備えることを特徴とする請求項１〜５のいずれかに記載の原稿搬送装置。
【請求項７】
前記移動手段を動作させると共に前記ステイプラの動作を禁止するステイプル禁止モードを選択可能なモード選択手段を備えることを特徴とする請求項１〜６の何れかに記載の原稿搬送装置。
【請求項８】
前記原稿載置部の原稿の搬出を行わせる搬送制御手段と、前記受取手段上の原稿束の有無を検出する原稿検出手段とを備え、前記搬送制御手段は、前記原稿検出手段が原稿有りを検出したときには搬出動作を禁止することを特徴とする請求項1〜７のいずれかに記載の原稿搬送装置。
【請求項９】
請求項1〜８のいずれかに記載の原稿搬送装置により原稿が搬送され、前記原稿読取位置で読み取った原稿画像を記録紙に転写する画像形成装置。
【発明の詳細な説明】
【技術分野】
【０００１】
本発明は、複数枚の原稿を原稿読取位置で読み取る原稿搬送装置及び画像形成装置に関するものである。
【背景技術】
【０００２】
従来、画像が形成された記録紙をステイプルするためのステイプラを備えた複写機等の画像形成装置が知られている。この種の画像形成装置は、原稿束を載置するための原稿載置部を備えた原稿搬送装置と、原稿搬送装置によって順次搬送される原稿を読み取るためのスキャナ等から成る原稿読取部と、読み取られた原稿が排出される原稿排出部と、原稿読取部で読み取られた原稿画像を記録紙に記録する像形成部と、原稿画像が記録された記録紙が搬送されて一時的にストックされる所定部位にステイプラを備えるフィニッシャと、フィニッシャの下流側で、ステイプルされた記録紙が排出される記録紙排出トレイとを備えている。この画像形成装置では、原稿読取部で読み取られた原稿画像が記録された記録紙が順次フィニッシャ内部の所定部位に搬送されてストックされ、ストックされた複数枚の記録紙が所定部位に配置されたステイプラで自動的にステイプルされた後、記録紙排出トレイに排出される。一方で、原稿読取部で原稿画像が読み取られた原稿が原稿排出部に順次排出されるが、ステイプラがフィニッシャに内蔵された構造であるため、排出された原稿束をステイプルすることはできず、別途装置外部にステイプラを用意しておき（例えば、オプションで装置外部に取り付けて）、排出された原稿を操作者が揃えて、ステイプラにセットしてステイプルするようになっている。
【発明の開示】
【発明が解決しようとする課題】
【０００３】
従来の画像形成装置では、排出された原稿束をステイプルする場合に、原稿束を揃えて、ステイプラにセットする操作が操作者に要求されるため、操作が煩雑である。
【０００４】
本発明は、上記課題に鑑みて、排出原稿をステイプルする操作者の操作負担をより軽減できる原稿搬送装置及び画像形成装置を提供することを目的とする。
【課題を解決するための手段】
【０００５】
請求項１に記載の本発明は、原稿載置部に載置された複数枚の原稿を搬送路に沿って順次搬出し、原稿読取位置を経た後、原稿排出部に搬出する原稿搬送装置において、前記原稿排出部に対して所定位置に配置されるステイプラを備え、前記原稿排出部は、前記搬送路からの排出原稿を積層して原稿束として受け取る受取手段と、前記受取手段上を所定側に向けて原稿束を移動させながら移動し、原稿束の所定箇所をステイプル位置にセットする移動手段とを備えたことを特徴とする。
【０００６】
上記構成に従えば、受取手段によって、搬送路からの排出原稿が積層されて原稿束として受け取られ、移動手段によって、原稿束が受取手段上を所定側に向けて移動されることで、原稿束の所定箇所がステイプル位置にセットされる。これによって、操作者がステイプル位置に手作業でセットすることなく、搬送された原稿束がセットされるため、操作者の操作負担を軽減することが可能となる。
【０００７】
請求項２に記載の本発明は、請求項１に記載の原稿搬送装置において、前記受取手段は、移動手段として、幅方向に対向して立設された一対の幅揃え部材を備え、前記幅揃え部材は、原稿束を挟持した状態で受取手段上を所定側に向けて移動し、原稿束の所定箇所をステイプル位置にセットすることを特徴とする。この構成に従えば、幅揃え部材によって、原稿束が幅方向に揃えられて積層され、幅揃え部材が原稿束を挟持した状態で受取手段上を所定側に向けて移動し、原稿束の所定箇所がステイプル位置にセットされるため、操作者が手作業で揃えることなく、原稿束の幅を揃えること及び原稿束をステイプル位置にセットすることが可能となる。
【０００８】
請求項３に記載の本発明は、請求項１又は２に記載の原稿搬送装置において、前記ステイプラは、前記受取手段に対して原稿搬出方向下流側に配置され、前記移動手段は、前記受取手段の原稿搬出方向上流位置に設けられ、前記受取手段上の載置原稿束の後端に当接してステイプル位置まで押し出しながら、原稿束を原稿搬送方向で揃える押出部材を備えることを特徴とする。この構成に従えば、押出部材が受取手段上に載置されている原稿束の後端に当接してステイプル位置まで押し出しながら、原稿束を原稿搬送方向で揃えることで、原稿束が後端から揃えられながらステイプル位置まで移動させることが可能となる。
【０００９】
請求項４に記載の本発明は、請求項１〜３のいずれかに記載の原稿搬送装置において、前記受取手段は、原稿排出部に対して着脱自在に取り付けられていることを特徴とする。すなわち、受取手段が着脱自在に取り付けられていることにより、操作者のニーズに合わせて、原稿の自動セットが必要な場合には移動手段が配置された受取手段を取り付け、不必要な場合には取り外して、移動手段が設けられていない受取手段を取り付けることが可能となる。
【００１０】
請求項５に記載の本発明は、請求項1〜４のいずれかに記載の原稿搬送装置において、前記ステイプラは、原稿排出部に対して着脱自在に取り付けられていることを特徴とする。すなわち、ステイプラが着脱自在に取り付けられていることにより、操作者のニーズに合わせて、排出された原稿束のステイプルが必要な場合にはステイプラを取り付け、不必要な場合には取り外すことが可能となる。
【００１１】
請求項６に記載の本発明は、請求項１〜５のいずれかに記載の原稿搬送装置において、操作者のステイプルを指示する操作を受け付ける操作受付手段と、前記受取手段に排出された原稿束をステイプル位置に移動してステイプル処理を行う自動モード、及び前記受取手段に排出された原稿束を、前記操作受付手段が操作を受け付けることを条件に、ステイプル位置に移動し、又は先にステイプル位置に移動しておいてステイプル処理を行う半自動モードの間でモード選択をするモード選択手段とを備えることを特徴とする。
【００１２】
上記構成によると、モード選択手段によって、自動モードが選択されている場合には、受取手段に排出された原稿束が自動的にステイプル位置に移動され、ステイプル処理が行われるため、操作者が手作業で原稿をセットすることなくステイプル処理を行うことが可能となる。一方で、モード選択手段によって、半自動モードが選択されている場合には、操作者がステイプルを指示する操作をすることで、原稿束のステイプル処理を行うことが可能であるため、ステイプルし忘れた原稿束や、記録紙束等、搬送路で搬送されていない他の用紙束をステイプルすることが可能となる。
【００１３】
請求項７に記載の本発明は、請求項６に記載の原稿搬送装置において、前記移動手段を動作させると共に前記ステイプラの動作を禁止するステイプル禁止モードを選択可能なモード選択手段を備えることを特徴とする。この構成に従えば、ステイプル禁止モードが選択されることで、原稿束をステイプル処理することなく移動させることが可能になり、原稿束の排出が操作者に知覚し易くなり、排出された原稿束の取り忘れを防止することが可能となる。
【００１４】
請求項８に記載の本発明は、請求項1〜７のいずれかに記載の原稿搬送装置において、前記原稿載置部の原稿の搬出を行わせる搬送制御手段と、前記受取手段上の原稿束の有無を検出する原稿検出手段とを備え、前記搬送制御手段は、前記原稿検出手段が原稿有りを検出したときには搬出動作を禁止することを特徴とする。この構成によると、原稿検出手段によって原稿有りが検出されたときに搬出動作が禁止されるため、受取手段上の原稿束と次に搬送される別の原稿とが混じったり、原稿同士が衝突して原稿を傷めることを防止することが可能となる。
【００１５】
請求項９に記載の本発明は、請求項1〜８のいずれかに記載の原稿搬送装置により原稿が搬送され、前記原稿読取位置で読み取った原稿画像を記録紙に転写する画像形成装置である。この構成によると、画像形成のために搬送された原稿束を、操作者が手作業でセットしなくても自動的にステイプル位置にセットすることが可能となる。
【発明の効果】
【００１６】
請求項１に記載の本発明によれば、操作者がステイプル位置に手作業でセットすることなく、搬出された原稿束がセットされるため、原稿束のステイプルのための操作者の操作負担を軽減することができる原稿搬送装置を提供することができる。
【００１７】
請求項２に記載の本発明によれば、幅揃え部材が原稿束を挟持した状態で受取手段上を所定側に向けて移動し、原稿束の所定箇所がステイプル位置にセットされるため、操作者が手作業で揃えることなく、原稿束の幅を揃えること及び原稿束をステイプル位置にセットすることが可能となり、ステイプルのための操作者の操作負担を一層軽減することができる。
【００１８】
請求項３に記載の本発明によれば、押出部材が受取手段上に載置されている原稿束を後端からステイプル位置まで押し出しながら、原稿束を原稿搬送方向で揃えることで、ステイプルのための操作者の操作負担を一層軽減することができる。
【００１９】
請求項４に記載の本発明によれば、受取手段が着脱自在に取り付けられていることにより、操作者のニーズに合わせて、原稿の自動セットが必要な場合には移動手段が配置されている受取手段を取り付け、不必要な場合には取り外し、移動手段が設けられていない受取手段を取り付けることが可能となる。これによって、製造費の低廉を図りながら、市場のニーズに対応した原稿搬送装置を提供することができる。
【００２０】
請求項５に記載の本発明によれば、ステイプラが着脱自在に取り付けられていることにより、操作者のニーズに合わせて、排出された原稿束のステイプルが必要な場合にはステイプラを取り付け、不必要な場合には取り外すことが可能となり、製造費の低廉を図りながら、市場のニーズに対応した原稿搬送装置を提供することができる。
【００２１】
請求項６に記載の本発明によれば、モード選択手段によって、自動モードが選択されている場合には、受取手段に排出された原稿束が自動的にステイプル位置に移動され、ステイプル処理が行われるため、操作者が手作業で原稿をセットすることなくステイプル処理を行うことが可能となる。一方で、モード選択手段によって、半自動モードが選択されている場合には、操作者がステイプルを指示する操作をすることで、原稿束のステイプル処理を行うことが可能であるため、ステイプルし忘れた原稿束や、記録紙束等、搬送路で搬送されていない他の用紙束をステイプルすることが可能となる。これによって、モード選択によって、様々な方法で原稿束をステイプルすることの可能な原稿搬送装置を提供することができる。
【００２２】
請求項７に記載の本発明によれば、ステイプル禁止モードが選択されることで、原稿束をステイプル処理することなく移動させることが可能になり、原稿束の排出が操作者に知覚し易くなるため、排出された原稿束の取り忘れを効果的に防止することの可能な原稿搬送装置を提供することができる。
【００２３】
請求項８に記載の本発明によれば、原稿検出手段によって原稿有りが検出されたときに搬出動作が禁止されるため、受取手段上の原稿束と次に搬出される別の原稿とが混じったり、原稿同士が衝突して原稿を傷めることを防止することが可能な原稿搬送装置を提供することができる。
【００２４】
請求項９に記載の本発明によれば、画像形成のために搬送された原稿束を、操作者が手作業でセットしなくても自動的にステイプル位置にセットすることが可能となり、原稿束のステイプルのための操作者の操作負担を軽減することができる画像形成装置を提供することができる。
【発明を実施するための最良の形態】
【００２５】
以下、図１〜図１０を用いて、本発明の画像読取装置を複写機に用いた場合の本発明の一実施の形態を説明する。
【００２６】
図１は、本発明の一実施の形態にかかる複写機の機械的構成を示す側面概略図である。複写機１は、本体部２０と、本体部２０の左側に配設された用紙後処理部３０と、ユーザが種々の操作指令等を入力するための操作部４０と、本体部２０の上部に配設された原稿読取部５０と、原稿読取部５０の上方に配設された原稿給送部（原稿搬送装置）６０とから構成される。
【００２７】
操作部４０は、タッチパネル４１、スタートキー４２、テンキー４３及びリセットキー４４、モード選択キー４５等を備える。タッチパネル４１は、種々の操作画面を表示するとともに、ユーザが種々の操作指令を入力するための種々の操作ボタン等を表示する。スタートキー４２は、ユーザがコピー動作を指示するためのコピー実行指令を入力するために用いられ、テンキー４３は、印刷部数等を入力するために用いられる。リセットキー４４は、ユーザの種々の操作指令を解除するために用いられる。モード選択キー４５は、原稿読取部５０で原稿画像が読み取られた原稿束Ｐに対するステイプル処理についての各種モードを設定するために用いられる。
【００２８】
原稿給送部６０は、ＡＤＦ（Auto Document Feeder）であり、セットされた原稿束Ｐを１枚ずつ順に繰り出し、繰り出される原稿を原稿読取部５０に搬送し、原稿読取部５０で原稿画像が読み取られた原稿を排出する原稿送り動作（搬出動作）を行う。
【００２９】
原稿読取部５０は、第１コンタクトガラス５１、第２コンタクトガラス５２、第１ミラーユニット５３、第２ミラーユニット５４、結像レンズ５５及びＣＣＤユニット５６とを備える。第１コンタクトガラス５１は、原稿給送部６０を開けてマニュアルにより原稿の載置を行うためのものである。第２コンタクトガラス５２は、原稿給送部６０によって搬送される原稿の読み取りを行うためのものであり、この場合、原稿給送部６０は原稿押さえとして用いられる。第１ミラーユニット５３は、原稿に照射する光源である第１ランプ５３１と原稿からの反射光である原稿の光像の光路を反射させる第１ミラー５３２とを一体化して備え、第１コンタクトガラス５１の間を移動可能に構成されている。
【００３０】
第２ミラーユニット５４は、第１ミラー５３２からの光を反射させる第２ミラー５４１と第３ミラー５４２とを一体化して備えるものである。結像レンズ５５は、第２ミラーユニット５４からの原稿光像をＣＣＤユニット５６の受光面に結像させるものである。ＣＣＤユニット５６は、結像レンズ５５を通過した光像を光電変換して画像データを得るラインセンサとしての撮像素子（ＣＣＤ）からなる。
【００３１】
本体部２０は、セットされた給紙カセット２１〜２３のいずれからか繰り出された用紙を排出口２７に導く搬送部２４を備え、搬送部２４の途中に像形成部２５と定着部２６とを備える。像形成部２５は、感光体ドラム２５１及びその周囲に配設された帯電装置２５２、露光装置２５３、現像装置２５４、転写ローラ２５５を備える。
【００３２】
感光体ドラム２５１は、矢印方向に回転しながら帯電装置２５２によって一様に帯電される。露光装置２５３は、原稿読取部５０において読み取られた原稿の画像データに基づいて生成された変調信号をレーザ光に変換して出力し、感光体ドラム２５１に各色別に静電潜像を形成する。現像装置２５４は、各色の現像剤を感光体ドラム２５１に供給して各色別のトナー画像を形成する。
【００３３】
一方、各給紙カセット２１〜２３の装置部には、給紙ローラ２１ａ〜２３ａが配設されており、給紙ローラ２１ａ〜２３ａは、対応する給紙カセット２１〜２３から記録紙を繰り出し、転写ローラ２５５まで給送する。転写ローラ２５５は、搬送された記録紙に感光体ドラム２５１上のトナー像を転写させ、定着部２６は、転写されたトナー像を加熱して記録紙に定着させる。その後、記録紙は、本体部２０の排出口２７から必要に応じて記録紙排出トレイ２１０、或いは用紙後処理部３０に搬入される。
【００３４】
用紙後処理部３０は、搬入口３１、記録紙搬送部３２、搬出口３３及びスタックトレイ３４等を備える。記録紙搬送部３２は、排出口２７から搬入口３１に搬入された記録紙を順次搬送し、最終的に搬出口３３からスタックトレイ３４へ記録紙を排出する。スタックトレイ３４は、搬出口３３から搬出された記録紙の集積枚数に応じて矢印方向に上下動可能に構成されている。
【００３５】
本体部２０は、ＣＰＵ（Central Processing Unit）等からなる本体制御部１０２を内蔵し、本体制御部１０２は、本体部２０、用紙後処理部３０、操作部４０、原稿読取部５０及び原稿給送部６０の各部からの電気信号を受け付けて、電気信号に基づいてこれら各部の動作の制御を行うものである。
【００３６】
図２は、図１に示す原稿給送部の側面概略図であり、図３は、図１に示す原稿給送部の平面図であり、図４は、原稿載置部を除いた図３に示す原稿給送部の平面図である。原稿給送部６０は、略直方体の本体部６１と、本体部６１上部に配置され、原稿束Ｐを載置するための原稿載置部６２と、原稿載置部６２上の原稿の有無を検出する原稿載置センサ６３と、繰り出される原稿を第２コンタクトガラス５２に搬送するための原稿搬送部６４と、本体部６１下部に配置され、原稿搬送部６４により搬出された原稿が積層状態で排出される原稿排出部６５とからなる。本体部６１は、図２中の奥側の一側壁で本体部２０とヒンジ６１０によって連結されている。
【００３７】
原稿載置部６２は、原稿搬送部６４に向かって下方に傾斜して構成され、載置された原稿束Ｐを原稿搬送部６４側に配置させる給紙トレイ６２１と、給紙トレイ６２１の原稿搬送部６４側に原稿搬出方向と略平行に取り付けられた一対の原稿規制部材６２２、６２３とから成る。給紙トレイ６２１には、原稿束Ｐが表面を上に、かつモードによって縦横の向きが規定され、例えば、上方を奥側にして載置される（図３参照：「Ｋ」という文字が表示された原稿画像の場合には、図３のように配置される）。そして、原稿規制部材６２２、６２３は、給紙トレイ６２１に載置された原稿束Ｐを挟持（幅揃え）するものである。図では示していないが、給紙トレイ６２１に連通してラックを有し、かつ両者の中間位置のピニオンとでユニバーサル構造とされ、原稿幅に合わせた幅調整が可能にされている。原稿載置センサ６３は、給紙トレイ６２１の図略の開口を介して配置されて、載置原稿によって給紙トレイ６２１上面に露呈した検出片を押し込めることで検出可能にして、原稿の有無を検出するものである。なお、原稿載置センサ６３は、開口を介して原稿面からの反射光の有無で原稿の有無を検出するフォトセンサ等の光学的なセンサであってもよい。
【００３８】
原稿搬送部６４は、直方体形状の筐体６４１と、筐体６４１に内蔵され、原稿載置部６２にセットされた原稿束Ｐを１枚ずつ順に繰り出すための原稿給送ローラ６４２と、原稿給送ローラ６４２によって繰り出される原稿を搬送するための原稿搬送路６４３と、原稿搬送路６４３に沿って配置された複数の原稿搬送ローラ対６４４とを備える。原稿給送ローラ６４２は、給紙トレイ６２１に載置された原稿束Ｐの上面側に配置されるようになっており、図略の駆動部によって回転されることで原稿束Ｐの上側から原稿が原稿搬送路６４３に順次繰り出されるようになっている。原稿搬送路６４３には、所定位置に第２コンタクトガラス５２が配置され、順次搬送される原稿が読み取られるようになっている。原稿搬送ローラ対６４４は、原稿搬送駆動部１０７（図５を参照）により回転され、原稿給送ローラ６４２によって繰り出される原稿を第２コンタクトガラス（原稿読取位置）５２、さらに原稿排出部６５に向けて搬送するものである。
【００３９】
原稿排出部６５は、原稿搬送部６４の原稿搬出方向下流側に配設されている。原稿排出部６５は、本体部６１の上面に取付具等、例えばビス６１１等で着脱自在に取り付けられた排出原稿移動部（受取手段）６５１を備える。排出原稿移動部６５１は、原稿搬送路６４３から排出される、裏面を上側に、上方を奥側にされた姿勢で原稿を受ける。排出原稿移動部６５１の上面には、原稿の位置を規制する規制部材（移動手段）６５２（６５２１、６５２２）、６５３が取り付けられている。
【００４０】
規制部材（幅揃え部材）６５２１、６５２２は、原稿排出方向に平行であり、かつ原稿排出方向に直交する幅方向で互いに対向して立設配置されている。規制部材６５２１、６５２２の底部には、それぞれ排出原稿移動部６５１上に原稿排出方向に直交する方向に延びて形成されたガイド部材６５４ａ、６５４ｂの係合部位（例えば、突部）に係合する図略の係合部位（例えば、凹部）が形成され、両係合部位が係合する状態で、幅移動駆動部１０８１（図５を参照）に駆動されてスライド移動可能になっており、排出される原稿の寸法に応じて規制部材６５２１、６５２２間の距離が調節されるようになっている。規制部材６５３（押出部材）は、規制部材６５２１、６５２２と同様に立設された長尺部材であり、原稿搬出方向上流側（以下、後方と記載し、反対側を前方と記載する）の位置に設けられて排出された原稿の後端に当接して位置を規制する。規制部材６５３の底部には、原稿の排出方向に沿って形成されたガイド部材６５５の係合部位（例えば、突部）に係合する図略の係合部位（例えば、凹部）が形成され、両係合部位が係合する状態で長手移動駆動部１０９１（図５を参照）によって駆動されて原稿束Ｐの後端に当接しながら前方にスライド移動し、原稿束Ｐを下流方向処理位置まで押し出し可能になっている。
【００４１】
排出原稿移動部６５１上の奥側方向の端部に（本体部６１との境界位置に）、規制部材ストッパ６５６が固定される。規制部材ストッパ６５６には、規制部材６５２２の長尺寸法と略同一の寸法の切り欠き６５６ａが形成されており、スライド移動された規制部材６５２２を切り欠き６５６ａに嵌め込ませるようにして、それ以上の移動を規制するようになっている。また、排出原稿移動部６５１上の前方側の一端には、排出原稿搬送ストッパ６５７が取り付けられている。排出原稿搬送ストッパ６５７は、規制部材６５３のスライド移動に伴って移動された排出原稿に当接して、それ以上の移動を規制するためのものである。
【００４２】
原稿排出部６５には、前方の奥側方向端部の所定位置（排出原稿移動部６５１に対して原稿搬出方向下流側）にステイプラユニット６５８がビス６５８ａ等によって着脱自在に取り付けられている。ステイプラユニット６５８には、ステイプラが配置され、ステイプラ下部に配置された原稿束Ｐをステイプルする（以下、「ステイプル処理」とする）ようになっており、規制部材６５２１、６５２２が規制部材ストッパ６５６側に所定距離だけ（規制部材６５２２が規制部材ストッパ６５６に規制されるまでの距離だけ）スライド移動されると共に、規制部材６５３が所定距離だけ（原稿束Ｐが排出原稿搬送ストッパ６５７に規制されるまでの距離だけ）前方にスライド移動する（以下、「原稿移動動作」とする）ことで、積層された原稿束Ｐの所定箇所（例えば、原稿束Ｐの左上端）がステイプラユニット６５８の下部のステイプル位置に移動されるようになっている。ステイプラユニット６５８には、規制部材６５２１、６５２２、６５３の原稿移動動作によって揃えられながらセットされることとなり、手作業で揃えて原稿束Ｐを配置する操作の煩わしさを操作者に対して与えず、ステイプルすべき好適な位置にステイプル可能になっている。
【００４３】
排出原稿移動部６５１上のステイプラユニット６５８の近傍には、排出原稿センサ６５９が配置されている。排出原稿センサ６５９は、ステイプラユニット６５８まで排出された原稿束Ｐの移動軌跡上に配置され、その上部での原稿束Ｐの有無を検出するものであり、排出原稿センサ６５９に検出されてから所定期間後にステイプラユニット６５８がステイプル処理をするようになっている。
【００４４】
排出原稿移動部６５１には、ステイプル操作部６６０が配置されており、ステイプル操作部６６０は、押下されることでステイプル処理を指示する操作（ステイプル処理指令）を受け付けるステイプルキー６６１と、例えばランプ等からなり、ステイプルが指示されているときにランプを光らせること等で、ステイプルキー６６１が押下されてステイプルが指示されていることを示すステイプル表示部６６２とを備える。
【００４５】
図５は、図１に示す複写機１の電気的構成を主に示すブロック図である。ここでは、原稿送り動作、原稿移動動作及びステイプル処理を処理するための電気的構成が主に示されている。複写機１は、原稿載置センサ１０１、本体制御部１０２、操作部１０３、ステイプル操作部１０４、排出原稿センサ１０５、給紙制御部１０６、原稿搬送駆動部１０７、幅移動駆動制御部１０８、長手移動駆動制御部１０９、ステイプル制御部１１０及びステイプル処理部１１１を備える。原稿載置センサ１０１は、原稿載置センサ６３等で実現され、給紙トレイ６２１上の原稿束Ｐの載置を検出し、給紙制御部１０６に検出信号を出力するものである。本体制御部１０２は、上述したように原稿給送部６０等の複写機１の各部の動作を制御し、例えば操作部１０３からの操作信号に基づいて、原稿給送部６０での原稿の送り動作を制御するものである。
【００４６】
操作部１０３は、操作部４０等で実現され、コピースタートキー１０３１とモード選択部１０３２とを備え、受け付けた操作者の操作に基づいた操作信号を本体制御部１０２、給紙制御部１０６に出力するものである。コピースタートキー１０３１は、スタートキー４２等で実現され、操作者のコピー実行指令を受け付けることを条件に、原稿給送部６０で原稿の送り動作をさせるための操作信号を本体制御部１０２に出力する。
【００４７】
モード選択部１０３２は、モード選択キー４５等で実現され、操作者のモードを選択する操作を受け付けて、受け付けたモード選択を示す操作信号（以下、「一次モード選択操作信号」とする）を給紙制御部１０６に出力する。具体的には、原稿送り動作と連動され、排出原稿移動部６５１に排出された原稿束Ｐをステイプル位置に移動してステイプル処理を行うためのオートステイプル処理モードと、原稿送り動作と連動されず、原稿束Ｐを排出原稿移動部６５１によってステイプル位置に移動し、又は先に操作者が手作業でステイプル位置に移動しておいてステイプル処理するためのマニュアルステイプル処理モードの選択が受け付けられるようになっている。
【００４８】
ステイプル操作部１０４は、ステイプル操作部６６０等で実現され、ステイプルキー１０４１と、ステイプル表示部１０４２とを備える。ステイプルキー１０４１は、ステイプルキー６６１で実現され、操作者のステイプル処理指令を受け付けて、操作信号を給紙制御部１０６に出力する。ステイプル表示部１０４２は、ステイプル表示部６６２等で実現され、ステイプル処理の実行が設定されていることを表示するためのものである。排出原稿センサ（原稿検出手段）１０５は、排出原稿センサ６５９等で実現され、原稿排出部６５上の原稿束Ｐの有無を検出し、検出信号を給紙制御部１０６に出力する。
【００４９】
給紙制御部１０６は、原稿給送部６０の各部の動作を制御するためのものであり、搬送制御部１０６１、モード処理部１０６２、移動制御部１０６３を備える。搬送制御部（搬出制御手段）１０６１は、原稿載置センサ１０１から原稿束Ｐの有りの検出信号を入力した場合であって、本体制御部１０２から原稿の送り動作をさせるための制御信号を入力したときに、原稿搬送駆動部１０７が、原稿給送部６０に対して給紙トレイ６２１に載置された原稿の原稿送り動作をさせるように制御する。また、搬送制御部１０６１は、本体制御部１０２から排出原稿センサ１０５が原稿有りを検出したときには原稿搬送部６４の原稿送り動作を禁止することで、原稿排出部６５上に原稿束Ｐが有る場合に、別の原稿が搬出されて混じることが効果的に防止される。
【００５０】
モード処理部１０６２は、モード選択部１０３２からの操作信号及びステイプルキー１０４１からのステイプル処理指令に基づいた操作信号が入力され、これらの信号に基づいて原稿給送部６０に対してモードの設定を行い、モード設定に基づいて、ステイプル制御部１１０にステイプラユニット６５８のステイプル動作を制御させ、移動制御部１０６３の動作を制御する。例えば、オートステイプル処理モードを選択する操作信号が受け付けられたとき、オートステイプル処理モードが設定される。オートステイプル処理モードが設定されている場合であって、所定タイミング（例えば、コピー実行指令受付時から原稿移動動作終了時まで）でステイプル処理指令に基づいた操作信号が入力されたときには、オートステイプルモード（自動モード）が設定される。オートステイプルモードとは、原稿送り動作と連動され、排出原稿移動部６５１に排出された原稿束Ｐをステイプル位置に移動してステイプル処理を行うものである。原稿移動動作中の所定タイミングまでにステイプル処理指令に基づいた操作信号が入力されないときには、原稿移動動作を行うと共に、排出された原稿束Ｐをステイプルしないステイプル禁止モードが設定される。
【００５１】
また、マニュアルステイプル処理モードを選択する操作信号が受け付けられたとき、マニュアルステイプル処理モードが設定される。マニュアルステイプル処理モードが設定されている場合であって、ステイプル処理指令に基づいた操作信号が入力されたときに、マニュアルステイプルモード（半自動モード）が設定される。マニュアルステイプルモードとは、原稿送り動作と連動されず、操作信号の受け付けによってステイプル処理を行うものである。ここで、マニュアルステイプルモードには、原稿束Ｐを排出原稿移動部６５１によってステイプル位置に移動するセミオートモードと、先に操作者が手作業でステイプル位置に移動しておいてステイプル処理するマニュアルモードとがある。ここでは、排出された原稿束Ｐを手作業でステイプラユニット６５８の下部にセットされた状態で、ステイプル処理指令に基づいた操作信号が入力されたときに、マニュアルモードが設定され、原稿束Ｐを排出原稿移動部６５１に載置した状態でステイプル処理指令に基づいた操作信号が入力されたときに、セミオートモードが設定される。マニュアルステイプルモードが設定可能であるため、オートステイプルモードでステイプルし忘れた場合にも、ステイプルすることが可能となる。
【００５２】
移動制御部１０６３は、モード処理部１０６２でのモード設定に基づいて幅移動駆動制御部１０８及び長手移動駆動制御部１０９の動作を制御するものである。例えば、オートステイプル処理モード（すなわち、オートステイプルモード及びステイプル禁止モードのいずれか）が設定されている場合及びセミオートモードが設定されている場合には、幅移動駆動制御部１０８及び長手移動駆動制御部１０９が規制部材６５２、６５３に原稿移動動作をさせるように制御される。
【００５３】
原稿搬送駆動部１０７は、原稿搬送部６４で原稿搬送ローラ対６４４を回転させる図略のモータ等で実現され、搬送制御部１０６１に制御されて原稿搬送部６４に原稿送り動作をさせるものである。幅移動駆動制御部１０８は、移動制御部１０６３に制御されて、規制部材６５２を移動させる幅移動駆動手段１０８１の駆動を制御することで、規制部材６５２の原稿移動動作を制御するものである。長手移動駆動制御部１０９は、移動制御部１０６３に制御されて、規制部材６５３を移動させる長手移動駆動手段１０９１の駆動を制御することで、規制部材６５３の原稿移動動作を制御するものである。
【００５４】
ステイプル制御部１１０は、モード処理部１０６２のモード設定に基づいて、ステイプル処理部１１１のステイプル処理を制御するものである。例えば、オートステイプル処理モードが設定されている場合であって、ステイプル禁止モードが設定されているときには、ステイプル処理が実行されず、オートステイプルモードが設定されているとき及びマニュアルステイプルモードが設定されているときには、ステイプル処理部１１１がステイプル処理を行うように制御される。ステイプル処理部１１１は、ステイプルユニット６５８等によって実現され、ステイプル制御部１１０によって制御され、ステイプル位置にセットされた原稿束Ｐをステイプルするものである。
【００５５】
図６は、オートステイプル処理モードでの処理の一例を示すフローチャートである。まず、ステップＳ１で、原稿載置センサ６３によって原稿束Ｐが検出されたか、すなわち原稿載置部６２に原稿束Ｐが載置されたかどうか搬送制御部１０６１で判断される。原稿束Ｐが原稿載置部６２に載置されていると判断されない場合には（Ｓ１でＮＯ）、繰り返しステップＳ１が実行され、原稿束Ｐが原稿載置部６２に載置されていると判断される場合には（Ｓ１でＹＥＳ）、ステップＳ３が実行される。ステップＳ３で、排出原稿センサ６５９によって原稿が検出されたか、すなわち原稿束Ｐがステイプラユニット６５８にセットされているかどうか搬送制御部１０６１で判断される。原稿束Ｐがステイプラユニット６５８にセットされていると判断される場合には（Ｓ３でＹＥＳ）、搬送制御部１０６１によってコピー実行指令の受け付けが禁止され（Ｓ５）、原稿束Ｐがステイプラユニット６５８にセットされていると判断されない場合には（Ｓ３でＮＯ）、搬送制御部１０６１によってコピー実行指令の受け付けが有ったか判断される（Ｓ７）。コピー実行指令の受け付けが有ったと判断されない場合には（Ｓ７でＮＯ）、繰り返しステップＳ７が実行され、コピー実行指令の受け付けが有ったと判断される場合には（Ｓ７でＹＥＳ）、搬送制御部１０６１によって、原稿搬送部６４が原稿送り動作をするように制御され（Ｓ９）、原稿が原稿排出部６５に順次搬出される。
【００５６】
そして、移動制御部１０６３によって、原稿載置センサ６３が原稿を検出したか判断され（Ｓ１１）、原稿が検出されたと判断される場合には（Ｓ１１でＹＥＳ）、ステップＳ９が繰り返し実行され、原稿が検出されたと判断されない場合、すなわち原稿載置部６２に載置されていた原稿束Ｐの全てが原稿排出部６５に排出された場合には（Ｓ１１でＮＯ）、移動制御部１０６３によって、幅移動駆動制御部１０８及び長手移動駆動制御部１０９が、排出原稿移動部６５１に原稿移動動作をさせるように制御される（Ｓ１３）。図７は原稿移動動作を説明するための原稿給送部６０の概略側面図、図８は原稿移動動作を説明するための排出原稿移動部６５１の概略平面図である。図７（Ａ）に示すように規制部材６５３が原稿束Ｐを押しながら前方に（すなわちｘ方向に）スライド移動され、図７（Ｂ）に示すように、原稿束Ｐが排出原稿搬送ストッパ６５７に当接する位置（ステイプル可能な所定位置）まで移動されることで、原稿束Ｐが前後方向でステイプルされるに好適な位置に配置される。また、図８（Ａ）に示すように、規制部材６５２１、６５２２が原稿束Ｐを挟持しながら規制部材ストッパ６５６側に（すなわちｙ方向に）スライド移動され、図８（Ｂ）に示すように、規制部材６５２２が切り欠き６５６ａに嵌り込むまでスライド移動されることで、原稿束Ｐが奥行き方向でステイプルに好適なステイプル位置に配置される。
【００５７】
図６に戻って、原稿移動動作時の所定のタイミングまでにステイプルキー６６１が押下されたかどうか、すなわちモード処理部１０６２によってオートステイプルモードが設定されているかがステイプル制御部１１０で判断される（Ｓ１５）。オートステイプルモードが設定されていない場合（ステイプル禁止モードが設定されている場合）には（Ｓ１５でＮＯ）、オートステイプル処理が終了し、オートステイプルモードが設定されている場合には（Ｓ１５でＹＥＳ）、ステイプラユニット６５８がステイプル処理をするようにステイプル制御部１１０が制御して（Ｓ１７）、移動された原稿束Ｐがステイプルされ、その後オートステイプル処理が終了する。
【００５８】
上記ステップＳ５が実行されることで、原稿束Ｐがステイプラユニット６５８にセットされている場合にはコピー実行指令の受け付けが禁止され、原稿送り動作が禁止されるため、原稿載置部６２に載置されている原稿束Ｐが原稿搬送部６４で搬出されてステイプラユニット６５８にセットされている原稿束Ｐに混じってしまうことが防止される。また、ステップＳ１３が実行されて、原稿載置部６２に載置されていた原稿束Ｐの全てが原稿排出部６５に排出された場合には、ステイプル処理指令が受け付けられていなくても原稿移動動作がなされるため、原稿載置部６２に原稿束Ｐが隠れてしまい、操作者が原稿束Ｐを取り忘れることを効果的に防止できる。なお、ステップＳ５では、コピー実行指令の受け付けが禁止されているが、原稿送り動作が禁止される処理であってもよい。
【００５９】
図９は、マニュアルステイプル処理モードの処理の一例を示すフローチャートである。ステップＳ２１で、原稿載置センサ６３によって原稿束Ｐが検出されたか、すなわち原稿載置部６２に原稿束Ｐが載置されたかどうかモード処理部１０６２で判断される。原稿束Ｐが原稿載置部６２に載置されていると判断される場合には（Ｓ２１でＹＥＳ）、モード処理部１０６２によって、ステイプル処理指令の受け付けが禁止され（Ｓ２３）、その後、ステップＳ２１に戻る。ここで、ステイプル処理指令の受け付けの禁止は、ステップＳ２１で原稿束Ｐが原稿載置部６２に載置されていると判断されなくなるまで解除されない。原稿束Ｐが原稿載置部６２に載置されていると判断されない場合には（Ｓ２１でＮＯ）、ステップＳ２５が実行される。
【００６０】
ステップＳ２５では、ステイプルキー６６１によってステイプル処理指令が受け付けられたか搬送制御部１０６１で判断され、ステイプル処理指令が受け付けられたと判断されない場合には（Ｓ２５でＮＯ）、ステップＳ２１に戻り、ステイプル処理指令が受け付けられたと判断される場合には（Ｓ２５でＹＥＳ）、原稿送り動作が搬送制御部１０６１によって禁止され（Ｓ２７）、ステップＳ２９が実行される。ステップＳ２９では、排出原稿センサ６５９によって原稿が検出されるか、すなわち原稿束Ｐがステイプラユニット６５８にセットされているかどうかモード処理部１０６２によって判断され、原稿束Ｐがステイプラユニット６５８にセットされていると判断されない場合（Ｓ２９でＹＥＳ）、ステップＳ３１が実行されることなく（マニュアルモード）、ステップＳ３３が実行され、ステイプラユニット６５８に原稿束Ｐが配置されていると判断される場合（Ｓ２９でＮＯ）、ステップＳ３１が実行される（セミオートモード）。
【００６１】
排出原稿移動部６５１が原稿移動動作をするように移動制御部１０６３によって制御される（Ｓ３１）。そして、ステイプラユニット６５８でステイプル処理されて、移動された原稿束Ｐがステイプルされ（Ｓ３３）、その後、処理はステップＳ２１に戻る。ここで、ステップＳ２７で実行された、原稿送り動作の禁止は、ステイプル処理の終了後に解除される。
【００６２】
上記のステップＳ２３が実行されることで、原稿束Ｐが原稿載置部６２に載置されていると判断される場合には、原稿束Ｐが原稿載置部６２に載置されていると判断されなくなるまでステイプル処理指令の受け付けが禁止されるため、原稿束Ｐの搬送動作がなされて原稿が排出されているときに、排出原稿移動処理部６５１が原稿移動動作をすることが防止される。上記のステップＳ２７が実行されることで、ステイプル処理指令が受け付けられている場合には、ステップＳ２５でステイプル処理の終了時まで原稿送り動作が禁止されるため、原稿載置部６２に別の原稿が載置、排出されて、原稿移動動作及びステイプル処理がなされている間に原稿束Ｐに混ざることを効果的に防止することが可能となる。なお、ステップＳ２７で、原稿送り動作の禁止に代えて、印刷実行開始指令の受け付けの禁止、原稿載置センサ６３による検出の禁止が実行されてもよい。
【００６３】
上記構成によって、オートステイプルモードで自動的に複写時に排出された原稿をステイプルすることができると共に、セミオート／マニュアルステイプルモードで、原稿束Ｐを手作業で揃えてステイプラユニット６５８にセットする操作負担を操作者に与えることがなく、排出後の原稿束Ｐをステイプルすることができる。
【００６４】
また、排出原稿移動部６５１及びステイプラユニット６５８は原稿排出部６５に着脱自在に取り付けられているため、操作者の需要に合わせて排出原稿移動部６５１の代わりに図１０で示すような排出トレイを取り付けたり、ステイプラユニット６５８を取り付けない構成とすることも可能となり、本体部６１は共通のものを使用可能であるため製造費の低廉を図ることができる。図１０（Ａ）は、排出原稿移動部６５１の代わりに排出トレイ６５１ａが取り付けられた原稿給送部６００の平面図、（Ｂ）は概略側面図である。（Ａ）の平面図では、説明の便宜のため原稿載置部６２を取り除いて図示している。原稿排出部６５０は、排出原稿移動部６５１の代わりに排出トレイ６５１ａがビス６１２等によって取り付けられている点を除いて、原稿排出部６５と同様の構成である。排出トレイ６５１ａは、排出された原稿を順次受ける機能のみを有し、後方に向かって下方に傾斜するテーパ面が形成され、規制部材ストッパ６５６に代えて原稿位置ストッパ６５６ａが配置されることで、排出された原稿束Ｐが排出トレイ６５１ａから飛散ることが防止されるようになっている。図１０で示す原稿排出部６５０では、原稿移動動作ができないので、マニュアルステイプルモードのマニュアルモードのみが実行可能である。また、この場合のステイプラユニット６５８乃至はその近傍には、排出原稿センサ６５９が取り付けられ、排出原稿センサ６５９に原稿束Ｐが検出されたときに、ステイプルされることが好ましい。なお、排出原稿センサ６５９に代えて、ステイプルを指示するための操作部（操作部４０が兼ねてもよい）が設けられ、操作者が操作部を操作することでステイプルされる構成であってもよい。
【００６５】
なお、本発明では、原稿載置部６２と、原稿搬送部６４と、原稿排出部６５との位置関係は、上記に限定されず、原稿載置部６２に載置された原稿を原稿搬送部６４で搬送し、原稿排出部６５に排出される配置であれば如何なる位置関係を有していてもよい。また、原稿排出部６５の構成は、上記に限定されず、ステイプラユニット６５８は、排出原稿移動部６５１に対して如何なる位置に取り付けられてもよく、原稿束Ｐを好適にステイプル可能な位置であればよい。規制部材６５２１、６５２２、６５３の原稿移動動作は、上記に限られず、ステイプラユニット６５８に対して移動して原稿束Ｐをステイプル位置にセット可能な動作であればよい。
【００６６】
また、本発明では、オートステイプル処理モードが設定されている場合であって原稿排出部６５に原稿束Ｐが載置されているときに、原稿送り動作が禁止される構成であればよく、図６で示すように、排出原稿センサ６５９によって原稿が検出された場合に、コピー実行指令の受け付けが禁止される処理に限定されない。例えば、排出原稿センサ６５９で排出部６５に原稿束Ｐが載置されているか否かを検出するのではなく、排出原稿センサ６５９とは別途、原稿束Ｐの検出専用のセンサが原稿搬出方向上流側に配置される構成である場合には、原稿束Ｐの検出専用のセンサは、原稿搬出方向上流側に配置されているため、原稿束Ｐのうち１枚の原稿が原稿排出部６５に載置されていても検出し、原稿束Ｐの全ての原稿が原稿排出部６５に搬出されるまでの期間にも原稿を検出することになり、原稿束Ｐの検出専用のセンサが原稿を検出することは、原稿排出部６５に原稿束Ｐが載置されている状態であることに直結しないが、かかる場合には、原稿束Ｐの検出専用のセンサが原稿を検出すると共に、原稿束Ｐを検出していた原稿載置センサ６３が原稿を検出しなくなった場合に、原稿束Ｐの全ての原稿の搬出が終了して原稿束Ｐが原稿排出部６５に載置されている状態であるとして、原稿送り動作が禁止される構成でもよい。
【００６７】
また、マニュアルステイプル処理モードと、オートステイプル処理モードとは、モード選択キー４０５で操作者が自在に設定可能な構成であるに限られず、複写機１の出荷時にいずれか１が設定されて出荷されてもよい。また、必ずしも両モードが選択的に設定可能な構成に限られず、いずれか１のモードでの処理しか設定できないものであってもよい。
【００６８】
また、排出原稿移動部６５１、排出トレイ６５１ａ及びステイプラユニット６５８は、それぞれビス６１１、６１２、６５８ａで固定されるに限られず、例えば、これらの部材６５１、６５１ａ、６５８に本体部６１と係合する部位が形成され、本体部６１と係合することによって着脱自在に固定される構成等であってもよい。係合する部位には、例えば、凹部等が形成された受け具及びこの受け具と係合するフック等の突起等がある。
【００６９】
また、本発明では、給紙制御部１０６は、必ずしも原稿給送部６０に内蔵されるに限られず、本体部２０等の他の部位に配置されてもよい。また、本発明では、給紙制御部１０６を本体制御部１０２とは別体で備える必要はなく、本体制御部１０２が給紙制御部１０６の機能を備えても良い。なお、本発明は、複写機だけでなく、スキャナ、ファクシミリ、複合機等の他の画像形成装置にも適用可能である。
【図面の簡単な説明】
【００７０】
【図１】本発明の一実施の形態にかかる複写機の機械的構成を示す側面概略図である。
【図２】図１に示す原稿給送部の側面概略図である。
【図３】図１に示す原稿給送部の平面図である。
【図４】原稿載置部を除いた図３に示す原稿給送部の平面図である。
【図５】図１に示す複写機１の電気的構成を主に示すブロック図である。
【図６】オートステイプル処理モードでの処理の一例を示すフローチャートである。
【図７】原稿移動動作を説明するための原稿給送部の概略側面図である。
【図８】原稿移動動作を説明するための排出原稿移動部の概略平面図である。
【図９】マニュアルステイプルモードでの処理の一例を示すフローチャートである。
【図１０】（Ａ）は、排出原稿移動部材の代わりに排出トレイが取り付けられた原稿搬送部の平面図、（Ｂ）は概略側面図である。
【符号の説明】
【００７１】
１                                    複写機（画像形成装置）
６０、６００                          原稿給送部（原稿搬送装置）
６２                                 原稿載置部
６４                                  原稿搬送部
６４３                               原稿搬送路
６５、６５０                          原稿排出部
６５１                               排出原稿移動部（受取手段）
６５３                                規制部材（移動手段、押出部材）
６５２（６５２１、６５２２）          規制部材（移動手段、幅揃え部材）
６５８                               ステイプラユニット（ステイプラ）
６６１、１０４１                      ステイプルキー（操作受付手段、モード選択手段）
６５、１０３２                        モード選択部（モード選択手段）
１０６１                              搬送制御部（搬送制御手段）
１０５                                排出原稿センサ（原稿検出手段）
【図１】
2005060081.tif 000003
【図２】
2005060081.tif 000004
【図３】
2005060081.tif 000005
【図４】
2005060081.tif 000006
【図５】
2005060081.tif 000007
【図６】
2005060081.tif 000008
【図７】
2005060081.tif 000009
【図８】
2005060081.tif 000010
【図９】
2005060081.tif 000011
【図１０】
2005060081.tif 000012